(57)【要約】【課題】作業員の出入りや作業に伴う、ＩＣＴ装置の温度上昇を防止すること。【解決手段】本発明の空調制御システムは、ＩＣＴ装置を冷却するための冷気が供給される空間と、前記空間に冷気を供給する空調機と、前記空間に設置された人感センサと、前記人感センサが前記空間に人間がいることを検知した場合、前記空調機による冷気の供給量を一定量増加させる制御サーバと、を有する。【選択図】図１
2014173746.tif 000002
【特許請求の範囲】
【請求項１】
ＩＣＴ装置が収容された所定の施設内の空調を制御するための空調制御システムであって、
前記ＩＣＴ装置を冷却するための冷気が供給される空間と、
前記空間に冷気を供給する空調機と、
前記空間に設置された人感センサと、
前記人感センサが前記空間に人間がいることを検知した場合、前記空調機による冷気の供給量を一定量増加させる制御サーバと、を有する、空調制御システム。
【請求項２】
前記制御サーバは、
前記人感センサが前記空間から人間がいなくなったことを検知した場合、前記空調機による冷気の供給量を元に戻す、請求項１に記載の空調制御システム。
【請求項３】
前記制御サーバは、
前記空調機による冷気の供給量を一定量増加させてから一定時間が経過した場合、前記空調機による冷気の供給量を元に戻す、請求項１に記載の空調制御システム。
【請求項４】
前記一定量は、前記施設に応じて設定される、請求項１から３のいずれか１項に記載の空調制御システム。
【請求項５】
前記ＩＣＴ装置を収容するラック列と、
前記ラック列の間の空間を閉空間とするために該ラック列の間に形成されたアイルキャッピングと、をさらに有し、
前記空間は、前記アイルキャッピングの内部の空間である、請求項１から４のいずれか１項に記載の空調制御システム。
【請求項６】
ＩＣＴ装置が収容された所定の施設内の空調を制御するための空調制御システムによる空調制御方法であって、
空調機が、前記ＩＣＴ装置を冷却するための冷気を空間に供給し、
前記空間に設置された人感センサが前記空間に人間がいることを検知した場合、前記空調機による冷気の供給量を一定量増加させる、空調制御方法。
【発明の詳細な説明】
【技術分野】
【０００１】
本発明は、ＩＣＴ（Information and Communication Technology）装置が収容されたデータセンタ、通信機械室等の所定の施設内の空調を制御するための技術に関する。
【背景技術】
【０００２】
近年、多くのＩＣＴ装置が収容された施設（データセンタ、通信機械室等）内の空調を制御するための技術が提案されている。
【０００３】
こうした技術の一例として、ＩＣＴ装置の吸込み温度の上昇を、空調機の吸込み温度の上昇として検知して、空調機による冷気の供給量を増加させることで室内温度を適正化する技術が知られている。
【０００４】
なお、空調機の吸込み温度に基づく空調制御を行う技術としては、例えば、特許文献１に記載の技術が挙げられる。
【先行技術文献】
【特許文献】
【０００５】
【特許文献１】特開２００７−０２４４３１号公報
【発明の概要】
【発明が解決しようとする課題】
【０００６】
ところで、データセンタ、通信機械室等においては、作業員が、ＩＣＴ装置が収容された空間と外部との間を出入りすることで、外部から暖気が流入し、ＩＣＴ装置周辺の温度が急激に上昇することがある。その他にも、作業員が、空間内部での作業時に、作業上で必要なものをＩＣＴ装置への冷気の供給経路に置いてそれが障害物になることで、冷気の供給不足が発生し、ＩＣＴ装置周辺の温度が急激に上昇することがある。
【０００７】
しかし、ＩＣＴ装置周辺の温度が急激に上昇しても、空調機の吸い込み温度が上昇するまでにはタイムラグがある。
【０００８】
そのため、空調機による冷気の供給量を抑えるために、ＩＣＴ装置の温度が許容上限温度付近の高温度になるように空調制御を行っている状態で、ＩＣＴ装置周辺の温度が急激に上昇した場合、冷気の供給量を増加させるまでの間に、ＩＣＴ装置の温度が許容上限温度を超えてしまう可能性があるという課題がある。
【０００９】
そこで、本発明の目的は、作業員の出入りや作業に伴う、ＩＣＴ装置の温度上昇を防止することができる空調制御システム、空調制御方法を提供することにある。
【課題を解決するための手段】
【００１０】
本発明の空調制御システムは、
ＩＣＴ装置が収容された所定の施設内の空調を制御するための空調制御システムであって、
前記ＩＣＴ装置を冷却するための冷気が供給される空間と、
前記空間に冷気を供給する空調機と、
前記空間に設置された人感センサと、
前記人感センサが前記空間に人間がいることを検知した場合、前記空調機による冷気の供給量を一定量増加させる制御サーバと、を有する。
【００１１】
本発明の空調制御方法は、
ＩＣＴ装置が収容された所定の施設内の空調を制御するための空調制御システムによる空調制御方法であって、
空調機が、前記ＩＣＴ装置を冷却するための冷気を空間に供給し、
前記空間に設置された人感センサが前記空間に人間がいることを検知した場合、前記空調機による冷気の供給量を一定量増加させる。
【発明の効果】
【００１２】
本発明によれば、空調機により冷気が供給される空間に人間がいることを人感センサが検知した場合、空調機による冷気の供給量を一定量増加させる。
【００１３】
これにより、作業員の出入りによって外部から暖気が流入したり、作業員の作業によって冷気の供給不足が発生したりすることで、ＩＣＴ装置周辺の温度が急激に上昇したとしても、空調機の吸込み温度が上昇するのを待たずに、冷気の供給量を増加させることができるため、作業員の出入りや作業に伴う、ＩＣＴ装置の温度上昇を防止することができるという効果が得られる。
【図面の簡単な説明】
【００１４】
【図１】本発明の一実施形態の空調制御システムの構成を示す図である。
【図２】図１に示した空調制御システムにおいて、アイルキャッピング内に人間が入った場合の動作を説明するフロー図である。
【図３】図１に示した空調制御システムにおいて、アイルキャッピングから人間が出て行った場合の動作を説明するフロー図である。
【発明を実施するための形態】
【００１５】
以下に、本発明を実施するための形態について図面を参照して説明する。
【００１６】
図１に、本実施形態の空調制御システムの構成を示す。なお、図１は、データセンタ内部を上方から見た図面に相当する。
【００１７】
図１を参照すると、本実施形態の空調制御システムは、ラック列１１Ａ，１１Ｂ，１２Ａ，１２Ｂ，１３Ａ，１３Ｂと、アイルキャッピング２１，２２，２３と、空調機３１，３２，３３と、人感センサ４１，４２，４３と、制御サーバ５３と、を有している。
【００１８】
ラック列１１Ａ，１１Ｂは、複数のラックから構成され、各ラックにＩＣＴ装置を収容する。ラック列１２Ａ，１２Ｂ，１３Ａ，１３Ｂも同様の機能を備える。ただし、ラック列１３Ｂは、例外的に、ラックの１つに制御サーバ５３を収容している。
【００１９】
アイルキャッピング２１は、ラック列１１Ａ，１１Ｂの間の空間を閉空間とするためにラック列１１Ａ，１１Ｂの間に形成されている。アイルキャッピング２２，２３も同様の機能を備える。
【００２０】
空調機３１は、アイルキャッピング２１に対応して設置され、対応するアイルキャッピング２１の内部の空間に、ＩＣＴ装置を冷却するための冷気を供給する。空調機３２，３３も同様の機能を備える。
【００２１】
ラック列１１Ａ，１１Ｂを構成する各ラックは、アイルキャッピング２１の内部の空間に供給された冷気を前面（アイルキャッピング２１が形成された面）から吸込んで、内部に収容されたＩＣＴ装置を冷却し、背面（アイルキャッピング２１が形成された面とは反対側の面）から排気する構造になっている。なお、ラック列１２Ａ，１２Ｂ，１３Ａ，１３Ｂを構成する各ラックも同様の機能を備える。
【００２２】
人感センサ４１は、アイルキャッピング２１の内部の空間に設置され、その空間における人間の有無を検知する。なお、図１では、アイルキャッピング２１の内部の空間に１つの人感センサ４１が設置されているが、アイルキャッピング２１の内部の空間に設置する人感センサの数は複数であっても良い。人感センサ４２，４３も同様の機能を備える。
【００２３】
制御サーバ５３は、各人感センサ４１，４２，４３の検知結果を基に各空調機３１，３２，３３を制御する。なお、図１では、制御サーバ５３は、ラック列１３Ｂを構成するラックに収容されているが、制御サーバ５３の設置場所は、データセンタ内部の任意の場所で構わない。
【００２４】
各空調機３１，３２，３３、各人感センサ４１，４２，４３、および制御サーバ５３は、それぞれ通信機能を備えており、相互に通信することができる。
【００２５】
各人感センサ４１，４２，４３は、検知結果を制御サーバ５３に送信することができ、また、制御サーバ５３は、各空調機３１，３２，３３に設定温度を変更する旨の指令を送信することができる。
【００２６】
以下、図１に示した空調制御システムの動作について説明する
まず、作業員が作業のためにアイルキャッピング２２に入った場合の動作について、図２を参照して説明する。
【００２７】
図２を参照すると、作業員が作業のためにアイルキャッピング２２に入ったとする。すると、人感センサ４２は、アイルキャッピング２２の内部の空間に人間がいることを検知し（ステップＳ１１）、その旨の検知結果を制御サーバ５３に送信する（ステップＳ１２）。
【００２８】
制御サーバ５３は、人感センサ４２から、アイルキャッピング２２の内部の空間に人間がいる旨の検知結果を受信すると（ステップＳ１３）、アイルキャッピング２２に対応する空調機３２に対して、設定温度を３℃下げる旨の指令を送信する（ステップＳ１４）。
【００２９】
空調機３２は、制御サーバ５３から、設定温度を３℃下げる旨の指令を受信すると（ステップＳ１５）、アイルキャッピング２２の内部の空間への冷気の供給量を、設定温度の下げ幅分（３℃）に相当する量（一定量）だけ増加させる（ステップＳ１６）。これにより、空調機３２は、設定温度を下げた状態で運転する。
【００３０】
続いて、作業員が作業を終了しアイルキャッピング２２から出て行った場合の動作について、図３を参照して説明する。
【００３１】
図３を参照すると、作業員が作業を終了しアイルキャッピング２２から出て行ったとする。すると、人感センサ４２は、アイルキャッピング２２の内部の空間に人間がいなくなったことを検知し（ステップＳ２１）、その旨の検知結果を制御サーバ５３に送信する（ステップＳ２２）。
【００３２】
制御サーバ５３は、人感センサ４２から、アイルキャッピング２２の内部の空間に人間がいなくなった旨の検知結果を受信すると（ステップＳ２３）、アイルキャッピング２２に対応する空調機３２に対して、設定温度を元に戻す（３℃上げる）旨の指令を送信する（ステップＳ２４）。
【００３３】
空調機３２は、制御サーバ５３から、設定温度を元に戻す（３℃上げる）旨の指令を受信すると（ステップＳ２５）、アイルキャッピング２２の内部の空間への冷気の供給量を元に戻す（設定温度の上げ幅分（３℃）に相当する量（一定量）だけ減少させる）（ステップＳ２６）。これにより、空調機３２は、元の設定温度で運転し、通常の運用状態に戻る。
【００３４】
上述したように本実施形態においては、空調機により冷気が供給されるアイルキャッピングの内部の空間に人間がいることを人感センサが検知した場合、空調機による冷気の供給量を一定量増加させる。
【００３５】
これにより、作業員の出入りによって外部から暖気が流入したり、作業員の作業によって冷気の供給不足が発生したりすることで、ＩＣＴ装置周辺の温度が急激に上昇したとしても、空調機の吸込み温度が上昇するのを待たずに、冷気の供給量を増加させることができるため、作業員の出入りや作業に伴う、ＩＣＴ装置の温度上昇を防止することができるという効果が得られる。
【００３６】
以上、実施形態を参照して本発明を説明したが、本発明は上記実施形態に限定されるものではない。本発明の構成や詳細には、本発明の範囲内で当業者が理解し得る様々な変更をすることができる。
【００３７】
例えば、上記実施形態においては、ラック列の間にアイルキャッピングが形成されたデータセンタを例に挙げて説明したが、本発明は、アイルキャッピングが形成されていないデータセンタにも適用可能である。アイルキャッピングが形成されていないデータセンタに適用する場合、データセンタ内部の全体の空間が人感センサの設置空間になる。
【００３８】
また、上記実施形態においては、人感センサが人間がいることを検知した場合、空調機による冷気の供給量を一定量（設定温度の下げ幅３℃に相当する量）増加させたが、本発明はこれに限定されず、上記の一定量は、データセンタに応じて（例えば、データセンタ内部の冷気を供給する空間の規模等に応じて）適宜設定して構わない。
【００３９】
また、上記実施形態においては、人感センサが人間を検知した後は、人間がいなくなったことを検知した時点で、冷気の供給量を元に戻していた。
【００４０】
しかし、作業員の作業に伴い、ＩＣＴ装置周辺の温度が緩やかに上昇した場合には、空調機の吸込み温度に応じた通常の空調制御により対応することが可能である。そのため、作業員の出入りによる外部からの暖気の流入がＩＣＴ装置の冷却に大きな影響を及ぼす場合には、人感センサが人間を検知してから一定時間のみ冷気の供給量を増加させて、一定時間が経過したら、冷気の供給量を元に戻しても構わない。
【符号の説明】
【００４１】
１１Ａ，１１Ｂ，１２Ａ，１２Ｂ，１３Ａ，１３Ｂ    ラック列
２１，２２，２３    アイルキャッピング
３１，３２，３３    空調機
４１，４２，４３    人感センサ
５３    制御サーバ
【図２】
2014173746.tif 000003
【図３】
2014173746.tif 000004
【図１】
2014173746.tif 000005